(57)【要約】【課題】長尺ものの被収納物でも容易に出し入れできるとともに、様々な使用用途に適したフレキシブルな形態の、押入れの棚構造を提供する。【解決手段】押入れ１の入口側において幅方向に配設された前框８と、押入れ１の奥側において前框８と対向して配設された後框９と、これらの間に配設された中框１０と、前框８及び中框１０の間に架け渡され、前框８及び中框１０に対して着脱可能に取付けられた前側棚板１１と、中框１０及び後框９の間に架け渡され、中框１０及び後框９に対して着脱可能に取付けられた後側棚板１２とを具備する。これによれば、任意の棚板を取外すことにより、長尺ものの被収納物を立てた状態で収納することが可能になる。【選択図】        図４
2005120791.tif 000002
【特許請求の範囲】
【請求項１】
押入れの入口側において幅方向に配設された前框と、
前記押入れの奥側において前記前框と対向して配設された後框と、
前記前框と前記後框との間に配設された中框と、
前記前框及び前記中框の間に架け渡され、前記前框及び前記中框に対して着脱可能に取付けられた前側棚板と、
前記中框及び前記後框の間に架け渡され、前記中框及び前記後框に対して着脱可能に取付けられた後側棚板と
を具備することを特徴とする押入れの棚構造。
【請求項２】
前記前側棚板及び前記後側棚板は、前記押入れの開口幅の１／ｎ（ｎ：整数）、またはそれよりも小さい横幅に形成され、幅方向にｎ枚並設されていることを特徴とする請求項１に記載の押入れの棚構造。
【請求項３】
前記前側棚板及び前記後側棚板は、その縁部に沿って下方に開口した框係合溝、及び該框係合溝よりも外側に形成され該框係合溝の頂面よりも下方に突出したフック部を有する略板状の部材からなり、
前記前側棚板が架け渡される前記前框または前記中框の少なくとも一方、及び前記後側棚板が架け渡される前記中框または前記後框の少なくとも一方には、前記前側棚板または前記後側棚板の前記フック部が挿入される棚板係合溝、該棚板係合溝の底面よりも上方に突出し前記框係合溝に挿入する突出部、及び前記棚板係合溝の溝底よりも下側に切欠かれ前記前側棚板または前記後側棚板の底面を支持する棚板支持部が形成され、
前記前側棚板または後側棚板の底面に対する前記框係合溝の頂面の高さを、前記棚板支持部に対する前記突出部の高さよりも高くし、前記前側棚板または前記後側棚板の底面に対する前記フック部の底面の高さを、前記棚板支持部に対する前記棚板係合溝の溝底の高さよりも高くした
ことを特徴とする請求項１または請求項２に記載の押入れの棚構造。
【請求項４】
互いに対向する前記押入れの内側面において奥行方向に配設された一対の横桟をさらに備え、
前記前框は、前記横桟に対して着脱可能に取付けられている
ことを特徴とする請求項１乃至請求項３のいずれか一つに記載の押入れの棚構造。
【発明の詳細な説明】
【技術分野】
【０００１】
本発明は、押入れの棚構造に関するものであり、特に、一対の框によって棚板を支持する押入れの棚構造に関するものである。
【背景技術】
【０００２】
住宅における押入れには、上下方向を仕切る板状の棚板が設けられている。この棚板は、一対の框、すなわち押入れの入口側において幅方向に配設された前框と、押入れの奥側において前框と対向するように配設された後框とに、架け渡された状態で支持されている。棚板は、従来からの一般的な生活習慣、すなわち布団等の寝具を収納する場所として押入れを利用するという生活習慣において、利便性を高めるために設けられたものであり、必須の機能として用いられている。このため、従来の押入れでは、棚板を外して使用するという思想はなく、棚板は、前框及び後框に対し、接着剤や釘等によって固定された状態で取り付けられている。なお、押入れは、クローゼットのように細かく仕切られていないため、嵩張る生活用品を収納するのにも適している。
【０００３】
ところが、最近では、ベッドを使用する機会が増え寝具の収納が少なくなるなど、生活習慣の変化により押入れに収納される被収納物も変化しており、被収納物の大きさや形状によっては押入れに収納することが困難となる場合もある。特に、従来の押入れでは、上下方向を仕切る棚板が、前框及び後框に固定されているため、譬え押し入れに収納スペースが残されていたとしても、スキー用品、スノーボード、釣具、及びゴルフクラブ等、大型で長尺ものの被収納物は、立てた状態で収納することができなかった。なお、このような被収納物は、横向けた状態であれば収納することが可能になるが、これによれば広い面積を占有することから、収納性が悪くなり、押入れを有効に利用することが困難となる。
【０００４】
このように、押入れにおいても、様々な家族構成やその世代世代にあった生活習慣を考慮する必要があり、様々な使用用途に適したフレキシブルな構造の押入れが求められている。
【０００５】
そこで、前框と後框との間に、細板状の棚板を複数枚並列に架け渡すとともに、夫々の棚板を着脱可能に支持するようにした押入れが提案されている（下記公開公報参照）。これによれば、一部の棚板を取外すことにより、仕切りを部分的に開口させた棚板として機能させることができる。そして、棚板を取外した部分には、長尺ものの被収納物を立てた状態で収納させることが可能になる。
【０００６】
なお、下記公開公報には、棚板を着脱可能に支持する構造として、図６に示すものが開示されている。これは、前框４０の上部に、棚板４１の前端部分を支持する支持段部４２と、この支持段部４２の前側に位置して棚板４１の前側への移動を規制する前端受け部４３とを切り欠いて形成し、一方、後框４４の上部に、棚板４１の後端部分を支持する支持段部４５と、この支持段部４５の後側に位置して棚板４１の後側への移動を規制する後端受け部４６と、棚板４１の後端部の上面に対向する受け突部４７とを切り欠いて形成したものである。つまり、棚板４１は、その両端部分が前框４０及び後框４４の支持段部４２，４５に載置されることによって支持され、前框４０及び後框４４の、前端受け部４３及び後端受け部４６に当接させることによって前後方向への移動が規制されるものである。
【特許文献１】特開２００３−１８４２９８号
【発明の開示】
【発明が解決しようとする課題】
【０００７】
しかし、上記の押入れによれば、長尺ものの被収納物を収納する場合、一部の棚板４１を取外すことになるが、取外すことによって形成される開口部分は、押入れの入口側（すなわち前框４０側）から奥側（すなわち後框４４側）までの細長い領域となるため、長尺ものの被収納物の出し入れが困難になる場合があった。例えば、被収納物として複数のスキー板を収納する場合、これらを押入れの奥行方向（すなわち前後方向）に並べなければならず、奥側に収納されたスキー板を取出す場合には、全てのスキー板を出し入れする必要があった。つまり、使い勝手が悪いという不具合が生じていた。
【０００８】
また、押入れに多種類の被収納物を収納する場合、使用頻度の高いものを押入れの入口側すなわち手前側に収納すれば、出し入れが容易になる。ところが、上記の押入れによれば、長尺ものの被収納物の使用頻度が高く、その他の被収納物の使用頻度が低い場合、あるいは逆に、長尺ものの被収納物の使用頻度が低く、その他の被収納物の使用頻度が高い場合があっても、両者を前後方向に並べて収納することができないため、使用頻度に基づいた利便性の高い収納が困難となる可能性があった。
【０００９】
また、上記の押入れでは、夫々の棚板は、細長い板状の部材として構成され、しかも前端及び後端である短辺のみで支持されることから、棚板の強度が低下し、大きな荷重に対して耐久性を損なう恐れがあった。
【００１０】
さらに、上記の押入れでは、棚板４１を、前框４０及び後框４１に切欠かれた前端受け部４３及び後端受け部４６に当接させることにより、棚板４１の前後方向への移動を規制しているが、これによれば、棚板４１の奥行の長さと、その棚板４１が収容される空間（すなわち前端受け部４３及び後側受け部４６の間隔）とが互いに略一致することから、棚板４１を嵌合させた状態となり、棚板４１の着脱作業が極めて困難となっていた。なお、棚板４１が収容される空間の大きさを、棚板４１の奥行方向の長さよりも大きくし、棚板４１に遊びを持たせるようにすれば棚板４１の着脱作業が容易になるが、これによれば棚板４１が前後方向にガタツクようになり、棚板４１上に載置された被収納物の収納状態が不安定になる恐れがある。
【００１１】
そこで、本発明は、上記の実情に鑑み、長尺ものの被収納物でも容易に出し入れできるとともに、様々な使用用途に適したフレキシブルな形態の、押入れの棚構造を提供することを課題とするものである。
【課題を解決するための手段】
【００１２】
本発明にかかる押入れの棚構造は、押入れの入口側において幅方向に配設された前框と、前記押入れの奥側において前記前框と対向して配設された後框と、前記前框と前記後框との間に配設された中框と、前記前框及び前記中框の間に架け渡され、前記前框及び前記中框に対して着脱可能に取付けられた前側棚板と、前記中框及び前記後框の間に架け渡され、前記中框及び前記後框に対して着脱可能に取付けられた後側棚板とを具備するものである。
【００１３】
ここで、中框の配設位置は、前框と後框との間であればよく、両者の中央であっても、前框寄りあるいは後框寄りであってもよい。また、中框の数は一つに限らず、複数の中框を前後方向に対して平行になるように配設してもよい。なお、複数の中框を設ける場合には、隣合う中框同士の間にも、着脱可能な棚板（中側棚板）を架け渡すことが好ましい。
【００１４】
本発明によれば、前側棚板を、前框と中框との間に架け渡した場合には、前側棚板の前端部分が前框によって支持され、後端部分が中框によって支持される。また、後側棚板を、中框と後框との間に架け渡した場合には、後側棚板の前端部分が中框によって支持され、後端部分が後框によって支持される。このように、前側棚板及び後側棚板がともに取付けられた状態では、押入れ内の空間が全体に亘って上下方向に仕切られ、前側棚板及び後側棚板の上に被収納物を載置することが可能になる。一方、前側棚板及び後側棚板は、着脱可能に取付けられているため、いずれか一方または両方の棚板を取外すことが可能になり、取外した場合には、押入れの中に仕切りのない部分が形成され、長尺ものの被収納物を立てた状態で収納することが可能になる。
【００１５】
特に、前側棚板または後側棚板を取外すことによって形成される開口部分（仕切りのない部分）は、幅方向に長くなるため、例えば長尺ものの被収納物を複数収納する場合、これらを幅方向に並べることが可能になる。そして、このように収納すれば、複数の被収納物の中から一つの被収納物を取り出す場合に、譬えそれがどの位置に収納されていても、他の被収納物を取出すことなく、所望の被収納物のみを取出すことが可能になる。
【００１６】
また、長尺ものの被収納物、すなわち棚板がない部分に収納される被収納物と、長尺ものではない被収納物すなわち棚板の上に載置される被収納物とを、前後方向に並べて配置することが可能になる。このため、使用頻度に応じた収納が可能になり、使い勝手を向上させることができる。
【００１７】
さらに、本発明によれば、前框と後框との間に中框を備え、中框によって前側棚板の後端部分及び後側棚板の前端部分を支持するため、各棚板の奥行寸法、すなわち一対の框によって支持される部分の間隔が短くなる。これにより、荷重に対する前側棚板及び後側棚板の強度が高くなり、これらの耐久性を向上させることができる。
【００１８】
ところで、本発明の押入れ棚構造において、「前記前側棚板及び前記後側棚板は、前記押入れの開口幅の１／ｎ（ｎ：整数）、またはそれよりも小さい横幅に形成され、幅方向にｎ枚並設されている」構成とすることができる。
【００１９】
これによれば、押入れの前側には、複数枚の前側棚板が幅方向に並んで設けられ、押入れの後側には、複数枚の後側棚板が幅方向に並んで設けられる。そして、これらの前側棚板及び後側棚板は、夫々個々に取り外すことができるため、幅方向においても部分的に開口を形成することが可能となる。このため、長尺ものの被収納物と、その他の収納物との割合に応じて、全体に対する開口部分の面積を変更することができ、一層効率的な収納が可能になる。尚、横幅が開口幅の１／ｎよりも小さい前側棚板または後側棚板を、ｎ枚並べて配設した場合には、各棚板同士の間に隙間が形成され、上下方向における通気性が良くなる。
【００２０】
また、本発明の押入れ棚構造において、「前記前側棚板及び前記後側棚板は、その縁部に沿って下方に開口した框係合溝、及び該框係合溝よりも外側に形成され該框係合溝の頂面よりも下方に突出したフック部を有する略板状の部材からなり、前記前側棚板が架け渡される前記前框または前記中框の少なくとも一方、及び前記後側棚板が架け渡される前記中框または前記後框の少なくとも一方には、前記前側棚板または前記後側棚板の前記フック部が挿入される棚板係合溝、該棚板係合溝の底面よりも上方に突出し前記框係合溝に挿入する突出部、及び前記棚板係合溝の溝底よりも下側に切欠かれ前記前側棚板または前記後側棚板の底面を支持する棚板支持部が形成され、前記前側棚板または後側棚板の底面に対する前記框係合溝の頂面の高さを、前記棚板支持部に対する前記突出部の高さよりも高くし、前記前側棚板または前記後側棚板の底面に対する前記フック部の底面の高さを、前記棚板支持部に対する前記棚板係合溝の溝底の高さよりも高くした」構成とすることもできる。
【００２１】
これによれば、前側棚板または後側棚板（以下、「棚板」という）の一端側を、前框、後框、または中框（以下、「框」という）の上面に載せると、棚板の下面に形成されたフック部が框の棚板係合溝に挿入され、框の突出部が棚板の框係合溝に挿入される。これにより、棚板を前後方向に移動させる力が加わっても、夫々の係合溝に挿入されたフック部及び突出部によって前後方向の動きが規制される。つまり、棚板は框に対して前後方向に係合された状態となる。特に、フック部及び突出部による係合は、棚板の一端側に形成すればその作用を奏することから、棚板の他端側においては、奥行方向への動きを規制するための構造は不要となる。そして、棚板の他端側が框によって規制されないことから、框に対して棚板を上下方向へ移動させること、すなわち棚板を着脱する際の作業が容易になる。
【００２２】
一方、框には棚板の底面を支持する棚板支持部が形成されており、棚板の底面に対する框係合溝の頂面の高さが、棚板支持部に対する突出部の高さよりも高くなっている。つまり、棚板の底面が棚板支持部に接した状態では、框係合溝の頂面と突出部の上面との間に隙間が生じることになる。また、棚板の底面に対するフック部の底面の高さが、棚板支持部に対する棚板係合溝の溝底の高さよりも高くなっている。つまり、棚板の底面が棚板支持部に接した状態では、フック部の底面と棚板係合溝の溝底との間にも隙間が生じることになる。このため、棚板の荷重は、全て棚板支持部に加わることになり、その反作用によって棚板が受ける力は、全て棚板の底面すなわち最も板厚の厚い部分に加わる。換言すれば棚板と框との係合部分、すなわち板厚を薄く形成しなければならない部分に、荷重が加わることを防止でき、棚板の耐久性を大幅に向上させることができる。
【００２３】
さらに、本発明の押入れ棚構造において、「互いに対向する前記押入れの内側面において奥行方向に配設された一対の横桟をさらに備え、前記前框は、前記横桟に対して着脱可能に取付けられている」構成とすることができる。
【００２４】
これによれば、前側棚板を取外した際に、前框を取外すことが可能になる。前框を取外すと、押入れの前側に長尺ものの被収納物を収納する場合、前框によって制限されることがなくなる。つまり、長尺ものの被収納物を立てたまま押入れの内部に入れ込むことが可能になり、被収納物の出し入れが一層容易になる。
【発明の効果】
【００２５】
本発明の押入れの棚構造は、前側棚板及び後側棚板を個々に取外すことができるため、様々な使用用途に適したフレキシブルな構造の押入れを構築することができる。また、各棚板の奥行寸法、すなわち一対の框によって支持される間隔が短くなるため、棚板の強度を高め、各棚板の耐久性を大幅に向上させることができる。
【発明を実施するための最良の形態】
【００２６】
以下、本発明の一実施形態である押入れの棚構造について、図１乃至図４に基づき説明する。図１は棚構造を備えた押入れの構成を示す斜視図であり、図２は棚構造の構成を示す断面図であり、図３はその要部を拡大した要部拡大図であり、図４は押入れの使用状態の一例を示す説明図である。
【００２７】
図１及び図２に示すように、本実施形態の押入れ１には、押入れ１内の空間を上下方向に区画する棚構造２が設けられている。押入れ１本体は、木製の、背面板３、底板４、天井板５、及び一対の側板６によって構築され、前面が開放された箱状の外観を呈している。また、その前面には、襖等（図示しない）の開閉部材が組み付けられ、襖等の開放により被収納物の出し入れを可能にする。なお、図１では、説明の便宜上、襖及び左側の側板を省略するとともに、天井板５の一部を切欠いた状態を示す。
【００２８】
棚構造２は、互いに対向する左右の側板６（すなわち押入れ１の内側面）に沿って、前後方向に延出した一対の横桟７と、横桟７の上面に形成された凹状の溝部１３に嵌合される三本の框と、これらの框によって両端が支持される複数枚の棚板とから構成されている。
【００２９】
具体的に、框は、押入れ１の入口側（襖側）において幅方向に配設された前框８と、押入れ１の奥側（背面板３側）において幅方向に配設された後框９と、前框８及び後框９の間においてこれらと平行に配設された中框１０とからなる。一方、棚板は、前框８と中框１０との間に架け渡され、前框８及び中框１０に対して着脱可能に取付けられた二枚の前側棚板１１と、中框１０と後框９との間に架け渡され、中框１０及び後框９に対して着脱可能に取付けられた二枚の後側棚板１２とからなる。
【００３０】
前側棚板１１について、図３を基に詳細に説明すると、前側棚板１１は、基本的に平板状の部材からなるが、その前端部分には、底面１５から切欠かれることにより前縁に沿って下方に開口した框係合溝１６と、この框係合溝１６よりも前側に形成され、框係合溝１６の頂面よりも下方に突出したフック部１７とが形成されている。また、前側棚板１１の幅方向（左右方向）の長さは、押入れ１の開口幅の１／２より僅かに短くなっている。なお、後側棚板１２は、前側棚板１１と同一の形状であるため、ここでは説明を省略する。
【００３１】
これに対し、前框８の上面には、前側棚板１１の框係合溝１６及びフック部１７に係合する構造、すなわち、フック部１７が挿入される棚板係合溝２０と、棚板係合溝２０の底面よりも上方に突出し框係合溝１６に挿入する突出部２１とが形成され、さらにその後側には棚板係合溝２０の溝底よりも下側に切欠かれ前側棚板１１の底面１５を支持する棚板支持部２２が形成されている。
【００３２】
なお、これらの係合部分及び支持部分における上下方向の寸法を例示すると、前側棚板１１の底面１５に対する框係合溝１６の頂面の高さ（Ｌ１）は約１８ｍｍ、棚板支持部２２に対する突出部２１の高さ（Ｍ１）は約１７ｍｍとなっており、框係合溝１６の頂面と突出部２１との間には約１ｍｍの隙間が設けられている。また、前側棚板１１の底面１５に対するフック部１７の底面の高さ（Ｌ２）は約１３．５ｍｍ、棚板支持部２２に対する棚板係合溝２０の溝底の高さ（Ｍ２）は約１２ｍｍとなっており、フック部１７の底面と棚板係合溝２０の溝底との間には約１．５ｍｍの隙間が形成されている。
【００３３】
一方、中框１０は、後側棚板１２の前端部分を支持するとともに、前側棚板１１の後端部分を支持する構造を備えている。つまり、前側棚板１１の後端部分を支持する構造として、前框８と同形状の框係合溝１６、フック部１７、及び棚板支持部２２を有し、さらに、その前側には前側棚板１１の後端側の底面１５を支持する構造として、底支持部２４が突出して形成されている。なお、本実施形態の棚構造２では、前框８によって前側棚板１１における前後方向の移動（ガタツキ）を規制していることから、前側棚板１１の後端面と中框１０の立上り面２３とは互いに当接させる必要がない。このため、本例では、前側棚板１１は、中框１０の立上り面２３に対して、僅かな隙間を介して装着されており、これにより前側棚板１１の着脱を容易に行わせることを可能にしている。
【００３４】
また、後框９は、直方体形状の棒材からなり、その上面には、後側棚板１２の後端底面を支持する底支持部２５が形成されている。
【００３５】
次に、本実施形態における押入れ１の使用方法、及び棚構造２の作用について説明する。例えば、長尺ものの被収納物がない場合には、図１に示すように、全ての棚板を組付ける。すなわち、押入れ１の前側には二枚の前側棚板１１を左右方向に並べて配置させ、押入れ１の後側には二枚の後側棚板１２を左右方向に並べて配置させる。この際、前側棚板１１の前側端部に形成されたフック部１７が前框８の棚板係合溝２０に挿入され、框係合溝１６に突出部２１が挿入されることにより、フック部１７及び突出部２１が互いに隣接した状態となり、その係合により前側棚板１１における前後方向の移動が制限される。すなわち、前側棚板１１における前後方向のガタツキが制限される。また、この際、前側棚板１１の底面１５が棚板支持部２２の上面に当接し、前側棚板１１の一端部分が支持される。特に、前側棚板１１と前框８とが上下方向において接するのは、棚板支持部２２と底面１５との接合面のみであり、框係合溝１６の頂面と突出部２１の上面との間、及びフック部１７の底面と棚板係合溝２０の底面との間には、隙間が形成されているため、前側棚板１１の荷重は、全て棚板支持部２２で受止められる。換言すれば、荷重の反作用によって生じる前側棚板１１への力は、框係合溝１６やフック部１７に加わることがなく、全て前側棚板１１の底面１５に加わることになる。また、前側棚板１１の後端部分は、中框１０に形成された底支持部２４の上面に支持される。このように、二枚の前側棚板１１は、前側棚板１１の前端部分及び後橋部分に架け渡された状態で夫々支持されることになる。
【００３６】
なお、後側棚板１２は、中框１０及び後框９の間に架け渡され、前框８の同一の形状を有する中框１０の上面に係合されるとともに、底支持部２４と同一の形状を有する後框９の上面に載置されることにより、後側棚板１２は前後方向に係合された状態で支持される。
【００３７】
このように、全ての前側棚板１１及び後側棚板１２を組付けることにより、押入れ１内の空間を全体に亘って上下方向に区画し、前側棚板１１及び後側棚板１２の上に多くの被収納物を載置させることが可能になる。すなわち、従来の押入れと同様の使い方が可能になる。
【００３８】
一方、図４に示すように、従来から収納可能であった布団３０及び収納タンス３１等に加え、スキー板３２等の長尺ものの被収納物を収納する場合には、まず、長尺ものの被収納物を収納すべき場所を決める。例えば、これらの被収納物を頻繁に利用する場合には、押入れ１の前側とし、頻繁に利用せず、しかもこれらの収納物よりも利用可能性の高い被収納物がある場合には、押入れ１の後側に収納する。尚、図４では押入れ１の前側にスキー板３２を収納する場合を示している。
【００３９】
スキー板３２等の収納場所が決まると、その場所に架け渡してある前側棚板１１または後側棚板１２を取外す。前側棚板１１の場合には、その前端側が前框８に係合されているものの、前側棚板１１の上方への移動は規制されていないため、前側棚板１１を上方に持ち上げるだけで、前側棚板１１を前框８及び中框１０から離脱させることができる。特に、前側棚板１１の後端面と中框１０の立上り面２３との間には隙間が形成されていることから、譬え、前側棚板１１が僅かに傾いた状態でも、前框８及び中框１０によって規制されることなく、滑らかに取外すことができる。
【００４０】
前側棚板１１を取外すと、棚板の一部が開口した状態となり、スキー板３２等の長尺ものの被収納物を立てた状態で収納することが可能になる。特に、複数のスキー板３２を収納する場合には、それらを押入れ１の幅方向に並べることができるため、例えば、その中からいずれか一つのスキー板３２のみを取出す場合があっても、他のスキー板３２を出し入れすることなく、任意のスキー板３２のみを容易に取出すことができる。
【００４１】
なお、スキー板３２等の長尺ものの被収納物を押入れ１の前側に収納する場合、押入れ１の後側には、スキー板３２と同時に使用するスキー用品３３や、取出す可能性が極めて低い収納箱３４等を収納するようにすれば、使い勝手を損なうことがなくなる。
【００４２】
また、長尺ものの被収納物を数多く収納する場合には、一方（例えば左側）の前側棚板１１のみではなく、他方（例えば右側）の前側棚板１１も取外すようにしてもよい。この場合には、全ての前側棚板１１がなくなるため、それを支持するための前框８は不要になる。つまり、一対の横桟７に支持された前框８を取外す事が可能になる。そして、この前框８を取外した場合には、長尺ものの被収納物を収納する場合、前框８によって制限されることがなくなり、長尺ものの被収納物を立てたまま押入れ１の内部に入れ込むことが可能になる。
【００４３】
このように、上記の棚構造２では、前側棚板１１及び後側棚板１２を個々に取外すことができるため、長尺ものの被収納物を、任意の場所に立てた状態で収納できるなど、様々な使用用途に適したフレキシブルな構造の押入れ１を構築することができる。特に、長尺ものの被収納物が複数ある場合でも、これらを幅方向に並べることができるため、出し入れが容易となり、利便性を大幅に向上させることができる。また、長尺ものの被収納物と、その他の被収納物とを前後方向に並べることができるため、被収納物の大きさや形状に拘わらず、被収納物の利用頻度を考慮した効率的な出し入れが可能になる。
【００４４】
また、上記の棚構造２では、前側棚板１１及び後側棚板１２の奥行寸法、すなわち前框８及び中框１０、または中框１０及び後框９によって支持される間隔が短くなるため、前側棚板１１及び後側棚板１２の強度が高くなり、これらの耐久性を大幅に向上させることができる。
【００４５】
さらに、上記の棚構造２では、前框８及び中框１０に、各棚板１１，１２の底面１５を支持する棚板支持部２２を形成し、各棚板１１，１２の荷重を、全て棚板支持部２２に加えるようにしている。このため、各棚板１１，１２と前框８及び中框１０との係合部分、すなわち板厚を薄く形成しなければならない部分に、荷重が加わることを防止でき、各棚板１１，１２の耐久性を大幅に向上させることができる。
【００４６】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４７】
すなわち、本実施形態の棚構造２では、前側棚板１１及び後側棚板１２を二枚ずつ設け、夫々幅方向に並べて配置するものを示したが、前側棚板１１及び後側棚板１２を夫々一枚の部材から構成してもよく、あるいは三枚以上の棚板を幅方向に並べるようにしてもよい。なお、本例のように二枚の棚板、またはそれ以上の棚板を幅方向に並べるようにすれば、幅方向においても部分的に開口を形成することが可能となる。このため、長尺ものの被収納物と、その他の収納物との割合に応じて、全体に対する開口部分の面積を変更することができ、一層効率的な収納が可能になる。
【００４８】
本実施形態の棚構造２では、押入れ１の前後方向において、前框８及び後框９の間に一本の中框１０を配設し、これらによって、前側棚板１１及び後側棚板１２を支持するものを示したが、図６に示すように、複数本（例えば二本）の中框１０を配設するとともに、前後方向に並ぶ一対の中框１０の間に中側棚板３６を架け渡すようにしてもよい。なお、この場合、前側棚板１１、後側棚板１２、及び中側棚板３６は、いずれも同じ形状となるため、共通部品として管理することができる。このように、中側棚板３６を備えるようにすれば、押入れ１の前後方向における中央部分にのみ、長尺ものの被収納物を収納させることが可能になる。すなわち、一層フレキシブルな構造の押入れ１を構築することが可能になる。
【００４９】
本実施形態では、押入れ１の内部に一組の棚構造２を組み込んだもの、すなわち棚板を一段のみ形成したものを示したが、上下方向に複数段の棚板が形成されるように、複数組の棚構造２を組み込むようにしてもよい。これによれば、被収納物の大きさに対して、棚板の高さを適切な高さに設定することが可能になり、収納スペースを一層効率的に利用することができる。
【００５０】
本実施形態の棚構造２では、前側棚板１１及び後側棚板１２の前端部分を係合させるものを示したが、後端部分のみ係合させるようにしてもよい。ただし、前記実施形態のように、前端部分を係合させるようにすれば、各棚板１１，１２を着脱する際の、係合及びその解除を視覚的に認識し易くなるため、その作業が容易になる。
【００５１】
本実施形態の棚構造２では、前側棚板１１及び後側棚板１２を一枚の木材で形成するものを示したが、例えば、棚板本体をハニカム構造からなる軽量部材で形成し、その上面及び底面を薄板状の表面部材で被覆するようにしてもよい。なお、この場合、各棚板の端部、すなわち前框８及び中框１０と係合する部分は、剛性の部材で形成することが好ましい。このように、大部分を軽量部材で構成するようにすれば、各棚板の軽量化が図られ、棚板の底面に対する荷重負荷が一層低減される。
【００５２】
さらに、本実施形態では、棚構造２を木材で構築するものを示したが、樹脂またはその他の材質で形成してもよい。但し、木材で形成すれば、比較的強度が高く、かつ軽量で、しかも見栄えのよい棚構造２を安価に提供することが可能になる。
【図面の簡単な説明】
【００５３】
【図１】本発明の一実施形態である押入れの棚構造を示す斜視図である。
【図２】棚構造の構成を示す断面図である。
【図３】棚構造における要部の構成を拡大して示す要部拡大図である。
【図４】押入れの使用状態の一例を示す説明図である。
【図５】他の押入れの棚構造を示す斜視図である。
【図６】従来の棚構造の構成を示す断面図である。
【符号の説明】
【００５４】
１  押入れ
２  棚構造
７  横桟
８  前框
９  後框
１０  中框
１１  前側棚板
１２  後側棚板
１５  底面
１６  框係合溝
１７  フック部
２０  棚板係合溝
２１  突出部
２２  棚板支持部
３０  布団（被収納物）
３１  収納タンス（被収納物）
３２  スキー板（長尺ものの被収納物）
【図１】
2005120791.tif 000003
【図２】
2005120791.tif 000004
【図３】
2005120791.tif 000005
【図４】
2005120791.tif 000006
【図５】
2005120791.tif 000007
【図６】
2005120791.tif 000008